(57)【要約】【課題】シャトルローラの代わりにシャトル本体に沿って案内片を設けることで、製織糸にスクラッチや断線が発生することを防止することができる麻袋用円形織機のシャトル装置を提供する。【解決手段】本発明に係る麻袋用円形織機のシャトル装置は、シャトル本体と、前記シャトル本体の移動を案内するために、前記シャトル本体の側方に沿って設けられる案内片と、前記シャトル本体が移動するように押圧する押圧ローラと、前記シャトル本体上に着脱可能に設けられ、緯糸として使用されるドラム糸（Ｗ）が巻回されたボビンと、前記緯糸を経糸の開口の間に案内するために、前記シャトル本体の一側から長さ方向に円形織機の中心部に向かって設けられる緯糸ガイドバーと、を含むことを特徴とする。【選択図】図２
2018096019.tif 000002
【特許請求の範囲】
【請求項１】
シャトル本体と、
前記シャトル本体の移動を案内するために、前記シャトル本体の側方に沿って設けられる案内片と、
前記シャトル本体が移動するように押圧する押圧ローラと、
前記シャトル本体上に着脱可能に設けられ、緯糸として使用されるドラム糸（Ｗ）が巻回されたボビンと、
前記緯糸を経糸の開口の間に案内するために、前記シャトル本体の一側から長さ方向に円形織機の中心部に向かって設けられる緯糸ガイドバーと、
を含むことを特徴とする麻袋用円形織機のシャトル装置。
【請求項２】
前記案内片は、前記ボビンを中心に上部側または上／下部側に設けられ、
前記円形織機の壁面に摺動接触が可能なように、前記シャトル本体の前方から後方まで円弧状に設けられることを特徴とする請求項１に記載の麻袋用円形織機のシャトル装置。
【請求項３】
前記案内片は、前記ボビンを中心に上部側または上／下部側に設けられ、
前記シャトル本体の前方と後方に設けられたローラに掛けベルトの形態で設けられることを特徴とする請求項１に記載の麻袋用円形織機のシャトル装置。
【請求項４】
前記案内片は、動物性や合成樹脂材の革、または炭素繊維、アラミド繊維、接着用樹脂、ガラス繊維のうちいずれかの材料からなることを特徴とする請求項１に記載の麻袋用円形織機のシャトル装置。
【発明の詳細な説明】
【技術分野】
【０００１】
本発明は麻袋用円形織機のシャトル装置に関するもので、より詳細には、天然紗と合成繊維を用いた麻袋用織機の製作時、スクラッチや断線の発生を減少させることができる麻袋用円形織機のシャトル装置に関するものである。
【背景技術】
【０００２】
一般的に麻袋は農産物や建設廃棄物などのように様々な物品を入れて運ぶために使用されている。
伝統的な麻袋としては、稲わらを編んで作った俵などがあるが、最近は合成樹脂材からなったストリップ状の繊維を縦横に編んで織り上げた形態の麻袋が主に使用されている。
【０００３】
従来の麻袋製造装置においては、図１に示すように、環状に作られたシャトル案内口８と、この周囲に交互に昇降作動するように設けられたヘルド１０を含み、このヘルド１０には製織糸５が掛けられている。この時、交差する製織糸ら５の間に緯糸が巻回されたシャトル９が移動することで、継ぎ目のない円筒状の麻袋を製織するようになる。
【０００４】
即ち、ヘルド１０に掛けられた製織糸５は、シャトル９の前面と後面で上下にその位置が切り替えられ、その間をシャトル９が移動しながら緯糸を供給することで、麻袋が製織される。下側に位置した製織糸５はシャトル９とシャトル駆動装置との間を通過して昇降する。この時、摩擦力によって製織糸５が切断される恐れがある。これを防止するために、シャトル９とシャトル駆動装置はシャトル従動ローラ９ａと駆動ローラ３によって互いに接触される。シャトル案内口８の一側には環状のスライド板７が設けられ、スライドローラ４はスライド板７に接触して回転すると共に、シャトルローラ９ｂはシャトル案内口８に沿って回転するようになる。この回転力が駆動ローラ３に伝達されることで、駆動ローラ３とシャトル従動ローラ９ａが回転して製織糸５が容易にシャトル従動ローラ９ａと駆動ローラ３の接触部を通過できるように構成されている。
【０００５】
しかし、従来のシャトル駆動装置は製織糸ら５が互いに交差する過程でシャトル従動ローラ９ａとしばしば干渉し、これによってスクラッチが発生して麻袋製品の不良をもたらす。製織糸が断線される場合には、装置全体を停止させた後、断線部位を検出して接続した後、再作動しなければならない不具合があり、生産時間が増加する欠点がある。
【０００６】
更に、近年は天然紗を用いて麻袋を製作する場合が多い。この場合、天然紗の断線の発生が非常に増加する問題がある。
【先行技術文献】
【特許文献】
【０００７】
【特許文献１】韓国特許登録第１０−１３４３９１１号公報（公告日２０１３．１２．２０）
【発明の概要】
【発明が解決しようとする課題】
【０００８】
本発明は前述したような従来の問題点を解決するためになされたものであり、シャトルローラの代わりにシャトル本体に沿って案内片を設けることで、製織糸のスクラッチや断線の発生を防止することができる麻袋用円形織機のシャトル装置を提供することにその目的がある。
【課題を解決するための手段】
【０００９】
上述した技術的課題を達成するための技術的手段として、本発明に係る麻袋用円形織機のシャトル装置は、シャトル本体と、前記シャトル本体の移動を案内するために、前記シャトル本体の側方に沿って設けられる案内片と、前記シャトル本体が移動するように押圧する押圧ローラと、前記シャトル本体上に着脱可能に設けられ、緯糸として使用されるドラム糸（Ｗ）が巻回されたボビンと、前記緯糸を経糸の開口の間に案内するために、前記シャトル本体の一側から長さ方向に円形織機の中心部に向かって設けられる緯糸ガイドバーと、を含むことを特徴とする。
【００１０】
本発明の実施形態によれば、前記案内片は、前記ボビンを中心に上部側または上／下部側に設けられ、前記円形織機の壁面に摺動接触が可能なように、前記シャトル本体の前方から後方まで円弧状に設けられても良い。
【００１１】
本発明の実施形態によれば、前記案内片は、前記ボビンを中心に上部側または上／下部側に設けられ、前記シャトル本体の前方と後方に設けられたローラに掛けベルトの形態で設けられても良い。
【００１２】
本発明の実施形態によれば、前記案内片は、動物性や合成樹脂材の革、または炭素繊維、アラミド繊維、接着用樹脂、ガラス繊維のうちいずれかの材料で構成されても良い。
【発明の効果】
【００１３】
本発明に係る麻袋用円形織機のシャトル装置は、シャトル本体に沿って設けられる案内片を備えて製織糸の断線の原因を除去することで、組織の密度が高く、品質が非常に優れた麻袋を製作することができる。
また、本発明によれば、製織糸の断線が防止されて生産性が向上することができる。
【発明を実施するための最良の形態】
【００１４】
以下、添付図面を参照して本発明の実施形態をより詳細に説明する。但し、後述する実施形態は、本発明が属する技術分野で通常の知識を有する者が容易に実施することができるように詳しく説明したもので、本発明は多様な異なる形態で実現することができ、ここで説明する実施形態に限定されない。ただし、本発明の好ましい実施形態を詳細に説明するにあたり、本発明の要旨を不必要に曖昧にする部分の説明を省略する。また、同様の機能や作用をする部分については、図面全体にわたって同一又は類似の符号を使用する。
【００１５】
なお、明細書全体において、ある部分がある構成要素を「含む」とは、特に反対する記載がない限り、他の構成要素を除くのではなく、他の構成要素を更に含むことができることを意味する。
【００１６】
図面において、図２は本発明の第１実施形態に係る麻袋用円形織機のシャトル装置を示す斜視図であり、図３は本発明の第１実施形態に係る麻袋用円形織機のシャトル装置を示す側面図であり、図４は本発明の第２実施形態に係る麻袋用円形織機のシャトル装置を示す側面図であり、図５は本発明に係る麻袋用円形織機を示す斜視図であり、図６は本発明に係る麻袋用円形織機のシャトル装置の使用状態図である。
【００１７】
本発明の麻袋は、天然紗や合成繊維を円筒状に織り上げて製造する。その一側は縫製されて閉塞されており、他側には保管する物品を入れ込むように開放されている。
【００１８】
まず、図５と図６を参照して説明すると、円形織機１００はサイズリング１１０の内周面に沿って上方に移動する前に、シャトル本体２００によって経糸の開口の間に緯糸２１２が供給されて、サイズリング１１０の形態に麻袋が織り上げられる。
【００１９】
円形織機１００は案内部材１４０の外側円周方向に沿って設けられたヘルド装置１２０を備える。
そして、円形織機１００の上部側には織り上げられた麻袋を上部に移動させ、必要に応じて切断されるように回転装置１３０が設けられても良い。円形織機１００は織り上げられる麻袋の左側面をなす経糸１５２、１５４を供給する左経糸供給部１５０と、麻袋の右側面をなす経糸１６２、１６４を供給する右経糸供給部１６０を含むことができる。
【００２０】
ここで、本発明の特徴に係るシャトル装置は、案内部材１４０の内側で回転しながら、麻袋を織り上げるように設けているものであり、図２と図３に示すように構成されている。
シャトル装置は大きく、シャトル本体２００と、シャトル本体２００に設けられる押圧ローラ２２０、ドラム糸Ｗが巻回されたボビン２１０と、緯糸ガイドバー２３０と、から構成されることができる。
【００２１】
シャトル本体２００は、案内部材１４０の壁面に沿って回転移動するように、床面が金属材からなり、両端が半径方向の中心に集められる楕円形状を有する。
シャトル本体２００の移動を案内するためにシャトル本体２００の側方に沿って設けられる案内片２５０は、案内部材１４０の壁面に摺動接触が可能なようにシャトル本体２００の前方から後方まで円弧状に設けられることが好ましい。添付した図面においては、ボビン２１０の上部側のみに案内片２５０が設けられているが、下部側にシャトルローラ９ｂ（図１）の代わりに案内片２５０を設けることもできる。
【００２２】
これらの案内片２５０は動物性や合成樹脂材の革、または炭素繊維、アラミド繊維、接着用樹脂、ガラス繊維のうちいずれかの材料からなることができる。なお、案内片２５０は着脱が可能であるので、摩耗すると交換することが可能である。
【００２３】
また、案内片２５０は他の実施形態として、図４に示したように、シャトル本体２００の前方と後方に間隔を置いて離間して回転可能に設けられたローラ２４０に掛けベルトの形態で設けられるものである。
【００２４】
掛けベルト形態の案内片２５０もやはり、添付した図面にはボビン２１０の上部側のみに設けられるが、下部側にシャトルローラ９ｂ（図１）の代わりに案内片２５０を設けることもできる。
掛けベルト形態の案内片２５０も動物性や合成樹脂材の革、または炭素繊維、アラミド繊維、接着用樹脂、ガラス繊維のうちいずれかの材料からなることができる。
やはり、案内片２５０は着脱が可能であるので、摩耗すると交換することが可能である。
【００２５】
そして、シャトル本体２００に設けられる案内片２５０に対向する側には、シャトル本体２００が動くように押圧する一つ、または一対の押圧ローラ２２０が設けられることができ、シャトル本体２００上に着脱可能なようにボビン２１０が設けられることができる。
【００２６】
ボビン２１０には緯糸２１２として使用されるドラム糸Ｗが巻回され、一定の長さを有しており、ドラム糸が消費されると、交換のために着脱が可能なように取り付けられる。
【００２７】
そして、緯糸２１２を経糸の開口の間に案内するために、シャトル本体２００の一側から長さ方向に円形織機の中心部に向かって緯糸ガイドバー２３０が設けられることができる。
【００２８】
以上のように構成された本発明に係る麻袋用円形織機のシャトル装置の作用を説明する。
【００２９】
再び、図５と図６を参照して説明すると、左経糸供給部１５０と右経糸供給部１６０から経糸１５２、１５４、１６２、１６４が供給され、供給された経糸１５２、１５４、１６２、１６４はヘルド装置１２０で供給される。交互に昇降作動するヘルド装置１２０には経糸１５２、１５４、１６２、１６４が掛けられている。なお、交差するこれらの経糸の間に案内部材１４０の内側に装着されたシャトル本体２００が回転移動しながら経糸の開口の間に緯糸２１２が供給されることで、サイズリング１１０の形態に麻袋が織り上げられる。
【００３０】
ここで、シャトル本体２００は案内部材１４０の壁面に沿って回転する過程で、図３及び図４に示すように、案内片２５０が案内部材１４０の曲げられた内側壁に密着されて回転することができる。
【００３１】
案内片２５０は従来のシャトル従動ローラ（図１に示す）に経糸１５２、１５４、１６２、１６４が交差供給される過程で、ローラに踏まれたり、干渉によって製織糸にスクラッチや断線が発生することを防止することができる。
【産業上の利用可能性】
【００３２】
上述したように本発明によれが、シャトル本体に沿って設けられる案内片を設けて、製織糸の断線の原因を除去することで、組織の密度が高く、品質が非常に優れた麻袋を製作することができる。
また、製織糸の断線が防止されて生産性が向上することができる。
【００３３】
以上、本発明について図面及び実施形態を挙げて説明したが、本発明は特定の実施形態に限定されず、当業者ならば、本発明の範囲から逸脱せずに多くの修正及び変形が可能であることを理解できるであろう。また、そのような変更はここに記載した請求範囲の範囲内に含まれるようになる。
【図面の簡単な説明】
【００３４】
【図１】従来麻袋第織機のシャトル装置の概要を示す図である。
【図２】本発明の第１実施形態に係る麻袋用円形織機のシャトル装置を示す斜視図である。
【図３】本発明の第１実施形態に係る麻袋用円形織機のシャトル装置を示す側面図である。
【図４】本発明の第２実施形態に係る麻袋用円形織機のシャトル装置を示す側面図である。
【図５】本発明に係る麻袋用円形織機を示す斜視図である。
【図６】本発明に係る麻袋用円形織機のシャトル装置の使用状態図である。
【符号の説明】
【００３５】
１００  円形織機
１１０  サイズリング
１２０  ヘルド装置
１３０  回転装置
１４０  案内部材
１５０  左経糸供給部
１６０  右経糸供給部
２００  シャトル本体
２１０  ボビン
２１２  緯糸
２３０  緯糸ガイドバー
２４０  ローラ
２５０  案内片
【図１】
2018096019.tif 000003
【図２】
2018096019.tif 000004
【図３】
2018096019.tif 000005
【図４】
2018096019.tif 000006
【図５】
2018096019.tif 000007
【図６】
2018096019.tif 000008